(57)【特許請求の範囲】
【請求項１】
レンズ付きフイルムユニットの前面側に、少なくとも一方の面に取扱説明や使用上の注意を表す機能表示を設けた紙製のスペーサシートを被せ、このスペーサシートの一部を覆うように、外観デザインを構成するデザイン表示を設けた紙製のカードを、スペーサシートの表面側にデザイン表示が表れるように被せ、レンズ付きフイルムユニットの前面側を覆うシート材の一部に透明部を設けたプラスチック製のシート材で、レンズ付きフイルムユニットをスペーサシート及びカードごとピロー包装して密封することにより、包装袋の一部に設けた透明部からカードのデザイン表示が外部から観察できるようにしたことを特徴とするレンズ付きフイルムユニットの包装方法。
【請求項２】
前記カードに切れ込み線を入れ、デザイン表示を設けた部分を切り離すことができるようにしたことを特徴とする請求項１記載のレンズ付きフイルムユニットの包装方法。
【請求項３】
レンズ付きフイルムユニットの前面側に、少なくとも一方の面に取扱説明や使用上の注意を表す機能表示を設けた紙製のスペーサシートを被せ、このスペーサシートの一部を覆うように、外観デザインを構成するデザイン表示とこのデザイン表示の表示内容や関連情報を表す説明表示とを表裏面にそれぞれ設けた紙製のカードを、スペーサシートの表面側にデザイン表示が表れるように被せ、レンズ付きフイルムユニットの前面側を覆うシート材の一部に透明部を設けたプラスチック製のシート材で、レンズ付きフイルムユニットをスペーサシート及びカードごとピロー包装して密封することにより、包装袋の一部に設けた透明部からカードのデザイン表示が外部から観察できるようにしたことを特徴とするレンズ付きフイルムユニットの包装方法。
【請求項４】
前記カードの前記デザイン表示を設けた部分に切れ込み線を入れ、デザイン表示を設けた部分を切り離すことができるようにしたことを特徴とする請求項３記載のレンズ付きフイルムユニットの包装方法。
【発明の詳細な説明】
【０００１】
【発明の属する技術分野】
本発明は、レンズ付きフイルムユニットの前面に紙製のスペーサシートを被せ、このスペーサシートとともにレンズ付きフイルムユニットをプラスチック製のシート材でピロー包装して密封するレンズ付きフイルムユニットの包装方法に関するものである。
【０００２】
【従来の技術】
レンズ付きフイルムユニットは、撮影レンズやシャッタ機構を備え予め写真フイルムが装填されたユニット本体と、これを覆う外装体とで構成されており、誰にでも簡単に撮影が可能なことから一般に広く利用されている。
【０００３】
このようなレンズ付きフイルムユニットは、その製造過程で写真フイルムが装填されてしまうため、製造後、実際ユーザーが使用するまでの間、装填された写真フイルムを湿気や塵などから保護しておく必要がある。このためレンズ付きフイルムユニットは、メーカーから出荷されるときに防湿機能をもった包装袋で個々に包装されて販売されている。包装袋の外観には、レンズ付きフイルムユニットの種類を示すために、内部に包装するレンズ付きフイルムユニットの種類に応じて異なったデザインの印刷が施されている。そして、レンズ付きフイルムユニットの使用時にはユーザーがこの包装袋を開封するようにしている。
【０００４】
また、「写ルンです  Ｓｕｐｅｒ  Ｓｌｉｍ」（商品名）等のレンズ付きフイルムユニットでは、レンズ付きフイルムユニットの前面側を、取扱説明や使用上の注意等の機能表示を印刷した紙製のスペーサシートで覆った状態で、包装袋で密封している。このレンズ付きフイルムユニットは、パトローネが収納された部分や撮影レンズが組み込まれた部分が前面側に向かって突出されているが、レンズ付きフイルムユニットの前面側を覆っている包装袋の一部がスペーサシートによって内側から支えられるため、撮影レンズが保護される他、外観が良好に整えられている。
【０００５】
ところで、レンズ付きフイルムユニットの包装袋に用いられる素材としては、良好な印刷性を有するポリ塩化ビニリデン系合成繊維からなるフイルム（サランフイルム）を用いるのが検討されていたが、防湿性が不充分であり、黄ばんでいるため、現在では、アルミニウムシートと樹脂製のシートとを積層したものが利用されている。例えば、アルミニウムシートの表裏にポリエチレン（ＰＥ）層を設け、更に表面には印刷インキ層及びポリエチレンテレフタート（ＰＥＴ）層、裏面にはエチレン酢酸ビニル共重合樹脂（ＥＶＡ）層を設けた包装材料が多用されている。このような包装材料は、防湿機能が高く、レンズ付きフイルムユニットの包装袋に用いる素材として好適である。
【０００６】
【発明が解決しようとする課題】
しかしながら、アルミニウムシートを包装材として用いる場合には、アルミニウムが銀白色で不透明な金属であることから、上述したように表面側の前面に化粧用の印刷を施して包装袋の外観を綺麗にする必要があるため、包装袋の外観を多種類化するには、印刷版を何種類も用意する必要がある。また印刷版を新たに作成するのにも時間を必要とするため、コストアップを招き、多品種を少量製造する場合には非常に効率が悪かった。
【０００７】
また、多品種化する１つの方法として、本出願人から、スペーサシートの表面にデザイン印刷を施し、包装袋の一部に透明部を設け、包装袋で密封した状態でデザイン印刷を外部から観察できるようにしたものが提案されている。しかしながら、表面にデザイン印刷を施し、裏面に説明文を印刷するため、印刷の工数を増し、コストや納期を考慮した場合、実用的ではなかった。
【０００８】
本発明は上述した従来技術のもつ欠点を解決するためになされたもので、効率的に、かつ安価に多品種化できるようにしたレンズ付きフイルムユニットの包装方法を提供することを目的とする。
【０００９】
【課題を解決するための手段】
上記目的を達成するために、請求項１記載の発明では、レンズ付きフイルムユニットの前面側に、少なくとも一方の面に取扱説明や使用上の注意を表す機能表示を設けた紙製のスペーサシートを被せ、このスペーサシートの一部を覆うように、外観デザインを表すデザイン表示を設けた紙製のカードを、スペーサシートの表面側にデザイン表示が表れるように被せ、レンズ付きフイルムユニットの前面側を覆うシート材の一部に透明部を設けたプラスチック製のシート材で、レンズ付きフイルムユニットをスペーサシート及びカードごとピロー包装して密封することにより、包装袋の一部に設けた透明部からカードのデザイン表示が外部から観察できるようにしたものである。また、請求項２記載の発明では、カードに切れ込み線を入れ、デザイン表示が施された部分を切り離すことができるようにした。
【００１０】
請求項３記載の発明では、レンズ付きフイルムユニットの前面側に、少なくとも一方の面に取扱説明や使用上の注意を表す機能表示を設けた紙製のスペーサシートを被せ、このスペーサシートの一部を覆うように、外観デザインを構成するデザイン表示とこのデザイン表示の表示内容や関連情報を表す説明表示とを表裏面にそれぞれ設けた紙製のカードを、スペーサシートの表面側にデザイン表示が表れるように被せ、レンズ付きフイルムユニットの前面側を覆うシート材の一部に透明部を設けたプラスチック製のシート材で、レンズ付きフイルムユニットをスペーサシート及びカードごとピロー包装して密封することにより、包装袋の一部に設けた透明部からカードのデザイン表示が外部から観察できるようにしたものである。請求項４記載の発明では、カードのデザイン表示を設けた部分に切れ込み線を入れ、デザイン表示を設けた部分を切り離すことができるようにしたものである。
【００１１】
【発明の実施の形態】
以下、本発明の実施の形態を説明する。図３はレンズ付きフイルムユニットの斜視図を示している。レンズ付きフイルムユニット２は、簡単な撮影機構を備え、新品の写真フイルムパトローネを内蔵したユニット本体３に、裏面に粘着剤を塗布した外装用のプラスチック製ラベル４を貼付して粘着固定したものである。ラベル４の所要部には開口が設けられ、フイルムカウンタ窓６，ファインダ窓７，突出部１０等が露呈されている。ユニット本体２の前面には撮影機構を組み込んだ部分を突出した突出部１０と、パトローネを収納した部分を突出した突出部１１とが形成されており、突出部１０の内部には撮影レンズ１３が配置されている。
【００１２】
図１に、レンズ付きフイルムユニットの包装構成を示している。紙製のスペーサシート２０の表面には、取扱説明や使用上の注意等を表示した機能表示が設けられている。このスペーサシート２０は、包装袋１８で密封包装する前にレンズ付きフイルムユニット２の前面側に被せられる。スペーサシート２０は、レンズ付きフイルムユニット２の前面を覆う支持面２１と、この支持面２１の両側に連設された端面２２，２３とからなっている。支持面２１と端面２２，２３との間の各々に折り目２４が入れられて、端面２２，２３はレンズ付きフイルムユニット２の上面と底面に沿うように折り曲げられている。
【００１３】
紙製のカード１９は、斜線で示した表示部１９ａの表面に外観デザインを構成するデザイン表示（観光地、有名な人や物等の写真，オリジナル模様等の印刷）が施されている。カード１９には、表示部１９ａを切り離すための切れ込み線としてミシン目２６が入れられている。カード１９は、スペーサシート２０の支持面２１を覆うように、スペーサシート２０の表面側に表示部１９ａが表れるように被せられる。
【００１４】
包装袋１８は、プラスチック製のシート材を袋状にして構成するものである。包装袋１８は、レンズ付きフイルムユニット２をスペーサシート２０及びカード１９ごと自動包装によって個別に収納後、開放端をエンドシールすることで密封するものである。包装袋１８は、レンズ付きフイルムユニット２の前面を覆う部分に透明部３０が設けられている。この透明部３０の他の部分はレンズ付きフイルムユニット２の種類や用途等を表す印刷が施されて不透明になっている。
【００１５】
この包装袋１８は、図２に示すように、一方の突出片３１にはハンガー吊り下げ用の穴３２が設けられている。また、包装袋１８を開封しやすいように、突出片３１の端部が波型にカットされて波形部３３を形成している。突出片３１の上部から他方の突出片３２に向かって包装袋１８のセンターシール３６が延びており、波型部３３から包装袋１８を破くことで包装袋１８の上側が破かれる。
【００１６】
この包装状態では、支持面２１でレンズ付きフイルムユニット２の前面を覆い、折り曲げ片２２，２３の先端縁がレンズ付きフイルムユニット２の上面及び下面に沿って背面まで達している。したがって、支持面２１でカード１９が裏側から支持され、カード１９が透明部３０に押しつけられるから、レンズ付きフイルムユニット２の前面側を覆う包装袋１８の一部が内部から支えられ、凹凸ができたり皺ができたりすることがなく、透明部３０から表示部１９ａの印刷がはっきりと現れる。スペーサシート２０の支持面２１によってカード１９の折り曲げが防止される。
【００１７】
また、撮影レンズ１３がスペーサシート２０及びカード１９によって保護される。レンズ付きフイルムユニット２とともに包装袋１８に内封した紙製のスペーサシート２０とカード１９は、吸湿材として作用しており、印刷の無いミシン目２６の切り口部分も吸湿性が高いから、アルミニウムシートを包装材に用いなくとも必要十分な防湿効果が得られ、レンズ付きフイルムユニット２の良好な品質の維持できる。
【００１８】
図５は、上記包装袋１８の層構成の一例を示すもので、同図において上側が外気に接する表面側、下側がレンズ付きフイルムユニット２に接する裏面側を表している。包装袋１８は、複数の透明なプラッチックフイルム層を積層したシート材で構成されており、表層側からＰＥＴ（ポリエチレンテレフタート）層４１、ＳｉＯ（酸化ケイ素）蒸着層４２、印刷インク層４３、接着剤４４、シーラント層４５の順に積層されている。このシート材は、真空下でＳｉＯｘを加熱蒸発させ、その蒸発を同じ真空下におかれたＰＥＴフイルムに凝縮させて表面側に薄膜のＳｉＯ蒸着層４２を形成している。ＳｉＯ蒸着層４２の裏面側の一部を除いて不透明な印刷を施して印刷インク層４３を形成している。印刷インク層４３の裏面側に、接着剤４４を介してＥＶＡ（エチレン酢酸ビニル共重合樹脂）フイルムを接着して透明なシーラント層４５を構成している。
【００１９】
この包装袋１８を構成するＰＥＴ層４１、ＳｉＯ蒸着層４２、接着剤４４、シーラント層４５のいずれもが良好な透明性をもつフイルムであるため、印刷が施されていない部分には透明部３０が透明なまま残される。こうした透明プラスチックフイルムとしては、例えば凸版印刷が製造する「ＧＬＥシートフィルム」（商品名）がある。
【００２０】
以下に、上記構成の作用を説明する。レンズ付きフイルムユニット２は、その組み立てが完了すると、レンズ付きフイルムユニット２の前面側に充分な乾燥処理を施したスペーサシート２０を被せる。次にスペーサシート２０の支持面２１を覆って、表示部１９ａがスペーサシート２０の表面側に表れるようにカード１９を被せる。その後、レンズ付きフイルムユニット２をスペーサシート２０及びカード１９ごと、包装袋１８でピロー包装の形態で個別に密閉包装する。カード１９は表示部１９ａの印刷の種類に係わらず、全てが同一の包装袋１８によって包装される。
【００２１】
図２に示すように、包装袋１８は、レンズ付きフイルムユニット２の前面側を覆う部分に透明部３０が設けられているから、カード１９を覆っている部分に透明部３０がくる。端面２２，２３の機能表示は包装袋１８の不透明部によって覆われる。表示部１９ａは、透明部３０から包装袋１８の外表に表れて包装袋１８の外観を構成するため、表示部１９ａの印刷を変更するだけで、効率的に、かつ安価に包装袋１８の外観を異なるものにできる。したがって、多品種少量生産に最適であり、包装袋やスペーサシートの印刷版が１種類で済むため、低コストである。
【００２２】
包装袋１８に密封包装されたレンズ付きフイルムユニット２は、各小売点に出荷され、それぞれの店頭に吊り下げて展示される。購入者は、表示部１９ａの印刷を透明部３０から観察し、多種多様な表示の中から、好みの表示が透明部３０から包装袋１８の外表に表れているもの選択して購入する。表示部１９ａの印刷は不特定多数の購入者に観察されるから、優れた宣伝効果に預かることができる。撮影を行う際には、撮影者が波型部３３から包装袋１８を破いて開封し、レンズ付きフイルムユニット２を取り出す。
【００２３】
表示部１９ａの印刷が気に入った場合は、カード１９をミシン目２６に沿ってカットして表示部１９ａを切り離し、これを栞として利用したり、このレンズ付きフイルムユニット２で撮影した写真とともにアルバムに一緒に入れたりして活用することができる。
【００２４】
カード１９は支持面２１で裏側から支持されて透明部３０に押しつけられているから、カード１９を包装袋１８から取り出すときにスペーサシート２０も取り出される。したがって、包装袋１８に入ったままスペーサシート２０が捨てられなくなるのでゴミ減少化に役立ち、また、スペーサシート２０の取扱説明や使用上の注意等の機能表示が読まれる機会が増す。
【００２５】
また、カード１９の表面に表示部１９ａとともにメモ欄を設けて撮影場所等を記入できるようにしたり、プリントサービス券を設けてプリント時に役立てられるようにしてもよい。また、透明部３０から露呈しない部分に、プレゼントの当落を表示するマークや番号や写真等を設けて、レンズ付きフイルムユニットの購入による新たな楽しみを付加してもよい。
【００２６】
以下に本発明方法の別の実施形態を説明する。図５において、カード３９の斜線で示した表示部３９ａの表面にはデザイン表示が施されている。表示部３９ａの表面以外は無地になっており、裏面の点線３９ｂで囲った部分にデザイン表示の表示内容や関連情報を表す説明表示が施されている。カード３９の裏面の説明表示を見ることで、デザイン表示についての情報を得ることができる。カード３９の端部３９ｃの無地部分には、メーカー名や商品名等が印刷されている。カード３９には、表示部３９ａにミシン目４６が入れられており、ミシン目４６でカットすることで表示部３９ａと端部３９ｃを切り離すことができる。
【００２７】
カード３９には、例えば表示部３９ａの表面に有名なホテルの写真を印刷し、裏面にこのホテルの特徴やホテル内のレストランやバーの案内，ホテルへのアクセス方法，連絡先等を印刷したものが用いられる。また、表面に野球やサッカー等の有名スポーツ選手の写真を印刷し、裏面にこのスポーツ選手の成績，出身地や生年月日等の個人データを印刷したものや、表面に新幹線や特急，蒸気機関車等の鉄道の写真を印刷し、裏面にこの鉄道の最高速度，連結構成，運行距離や運行区間及びその所要時間等を印刷したもの等でもよい。
【００２８】
このカード３９は、前述した手順で図６に示すようにレンズ付きフイルムユニット２及びスペーサシート２０とともに包装袋１８に包装されて、透明部３０からカード３９のデザイン表示を露呈し、不透明部によって端部３９ｃの印刷が覆われる。
【００２９】
表示部３９ａにミシン目４６を入れているので、ミシン目４６で端部３９ｃの無地部分が入らないように表示部３９ａを切り離すことができる。これによりデザイン表示の縁が切れるが、デザイン表示の観賞に支障がでないのは勿論である。また、ミシン目４６を点線３９ｂの外に設けたので、ミシン目４６のカットにより説明表示が切れたりしない。
【００３０】
【発明の効果】
以上に説明したように、本発明によれば、レンズ付きフイルムユニットの前面側に、少なくとも一方の面に取扱説明や使用上の注意を表す機能表示を設けた紙製のスペーサシートを被せ、このスペーサシートの一部を覆うように、外観デザインを構成するデザイン表示を設けた紙製のカードを、スペーサシートの表面側にデザイン表示が表れるように被せ、レンズ付きフイルムユニットの前面側を覆うシート材の一部に透明部を設けたプラスチック製のシート材で、レンズ付きフイルムユニットをスペーサシート及びカードごとピロー包装して密封することにより、包装袋の一部に設けた透明部からカードのデザイン表示が外部から観察できる構成にしたので、同一デザインの包装袋を用い、カードのデザイン表示を変更するだけで、外観の異なる包装袋を提供することができる。また、カードに切れ込み線を入れ、デザイン表示が施された部分を切り離すことができるようにしたので、切り離したデザイン表示部分を栞等に利用することができる。
【００３１】
レンズ付きフイルムユニットの前面側に、少なくとも一方の面に取扱説明や使用上の注意を表す機能表示を設けた紙製のスペーサシートを被せ、このスペーサシートの一部を覆うように、表面に外観デザインを構成するデザイン表示を設け裏面にデザイン表示の表示内容や関連情報を表す説明表示を設けた紙製のカードを、スペーサシートの表面側にデザイン表示が表れるように被せ、レンズ付きフイルムユニットの前面側を覆うシート材の一部に透明部を設けたプラスチック製のシート材で、レンズ付きフイルムユニットをスペーサシート及びカードごとピロー包装して密封することにより、包装袋の一部に設けた透明部からカードのデザイン表示が外部から観察できる構成にしたので、同一デザインの包装袋を用い、カードのデザイン表示を変更するだけで、外観の異なる包装袋を提供することができる。また、カードの裏面に設けたデザイン表示の表示内容や関連情報を表す説明表示はレンズ付きフイルムユニットを購入しなければ見ることができないので、購入者の購買意欲をそそることができ、商品競争力を高めることができる。
【００３２】
また、カードのデザイン表示を設けた部分に切れ込み線を入れ、デザイン表示を設けた部分を切り離すことができるようにしたので、デザイン表示まわりのスペーサシートの無地の部分が入るのを防止できる。
【図面の簡単な説明】
【図１】レンズ付きフイルムユニットの包装構成を説明する斜視図である。
【図２】スペーサシートを被せたレンズ付きフイルムユニットを包装した包装袋の斜視図である。
【図３】レンズ付きフイルムユニットの斜視図である。
【図４】包装袋に用いたシート材の層構成を示すものである。
【図５】別のカードを示す斜視図である。
【図６】別のカードを用いたレンズ付きフイルムユニットの包装構成を説明する斜視図である。
【符号の説明】
２  レンズ付きフイルムユニット
１８  包装袋
１９  カード
１９ａ  表示部
２０  スペーサシート
２１  支持面
２６  ミシン目
３０  透明部
【図１】
0003766522.tif 000002
【図２】
0003766522.tif 000003
【図３】
0003766522.tif 000004
【図４】
0003766522.tif 000005
【図５】
0003766522.tif 000006
【図６】
0003766522.tif 000007